(57)【要約】【課題】フレキシブルフラットケーブルによるキャリッジの速度変動を防止することができる原稿読取装置および画像形成装置を提供する。【解決手段】上面に原稿を載置する原稿台１０２が設けられた箱形状を有する筐体１０１と、筐体１０１に収容されると共に、原稿台１０２の長さ方向に往復移動自在なキャリッジ１１０と、記往復移動方向に沿って配線されると共に、一端部が、筐体１０１に固定され、他端部が、キャリッジ１１０に固定されてキャリッジ１１０に追従して移動自在なＦＦＣ１２０と、キャリッジ１１０に設けられ、原稿台１０２が設けられた面に対向する底面１０１Ａに向けてＦＦＣ１２０を押し付ける押付部材１３０とを有し、押付部材１３０は、ＦＦＣ１２０から受ける反力を低減する板バネ１３２Ａ及び板バネ１３２Ｂを備えるという構成を採用する。【選択図】図２
2010114800.tif 000002
【特許請求の範囲】
【請求項１】
一方の面に原稿を載置する原稿台が設けられた箱形状を有する筐体と、
前記筐体に収容されると共に、前記原稿台の長さ方向に往復移動自在なキャリッジと、
前記往復移動方向に沿って配線されると共に、一端部が、前記筐体に固定され、他端部が、前記キャリッジに固定されて前記キャリッジに追従して移動自在なフレキシブルフラットケーブルと、
前記キャリッジに設けられ、前記原稿台が設けられた面に対向する対向面に向けて前記フレキシブルフラットケーブルを押し付ける押付部材とを有し、
前記押付部材は、前記フレキシブルフラットケーブルから受ける反力を低減する弾性部材を備えることを特徴とする原稿読取装置。
【請求項２】
前記フレキシブルフラットケーブルの他端部は、前記対向面側で折り返されて前記キャリッジに固定され、
前記対向面には、前記往復移動方向の往路側を移動するため前記キャリッジが前記筐体の端部に位置するときに、前記フレキシブルフラットケーブルの折返し部の少なくとも一部を収容可能な凹部が設けられており、
前記押付部材は、前記キャリッジから、前記往路側に延出して設けられていることを特徴とする請求項１に記載の原稿読取装置。
【請求項３】
前記押付部材は、前記キャリッジ側の第１の位置で前記押し付けを行う第１押付部と、前記キャリッジから前記往復移動方向の往路側に延出した第２の位置で前記押し付けを行う第２押付部とを有することを特徴とする請求項１または２に記載の原稿読取装置。
【請求項４】
前記第２押付部は、前記第１の位置と前記第２の位置との間を移動自在であることを特徴とする請求項３に記載の原稿読取装置。
【請求項５】
前記押付部材は、前記フレキシブルフラットケーブルと当接すると共に前記フレキシブルフラットケーブルの幅方向に延びる回転軸周りに回転自在なローラを備えることを特徴とする請求項１〜４のいずれか一項に記載の原稿読取装置。
【請求項６】
前記押付部材の前記フレキシブルフラットケーブルと当接する当接部は、前記往復移動方向両側が反り上がるように形成された円弧部を有することを特徴とする請求項１〜４のいずれか一項に記載の原稿読取装置。
【請求項７】
請求項１〜６のいずれか一項に記載の原稿読取装置が設けられていることを特徴とする画像形成装置。  
【発明の詳細な説明】
【技術分野】
【０００１】
本発明は、原稿読取装置および複写機、プリンタ、またはファクシミリ装置等の画像形成装置に関するものである。
【背景技術】
【０００２】
複写機等の画像形成装置においては、原稿読取装置により原稿を画像データとして取り込み、該画像データを基に画像形成動作を行っている。この原稿読取装置は、筐体内部に原稿を読み取る光学素子を備えたキャリッジを備えており、該キャリッジが往復移動することにより原稿を読み取る構成となっている。このキャリッジと筐体内に設けられたコネクタとは、一般にフレキシブルフラットケーブルによって接続されており、該フレキシブルフラットケーブルを介して、給電や画像データのやり取りを行う。
【０００３】
ところで、フレキシブルフラットケーブルは、所定の剛性を備えており、曲げに対して反発する特性を有する。したがって、キャリッジの往復移動によってフレキシブルフラットケーブルが折り曲げられると、フレキシブルフラットケーブルに浮き上がりが生じる。
従来、この浮き上がりによって原稿台が傷つき、読み取り不良となるという課題を解決すべく、特許文献１に記載の手段が採られることがある。この特許文献１によれば、キャリッジの往復移動方向に延び、フレキシブルフラットケーブルに原稿台側から当接し、フレキシブルフラットケーブルを原稿台から離間させる抑え部を備える原稿読取装置が開示されている。
【特許文献１】特開２００４−３４８０７４号公報
【発明の開示】
【発明が解決しようとする課題】
【０００４】
しかしながら、上記特許文献１の構成では、抑え部がフレキシブルフラットケーブルを押さえ込むと、抑え部がその反力を受けることとなり、その反力がキャリッジに伝達されてしまう。すなわち、キャリッジは一定速度で往復移動し原稿を読み取るものであり、該反力を受けると、その速度に速度変動が生じてしまい、読み取り画像において色ズレが生じ、その結果、画像形成不良が発生するという問題がある。
【０００５】
本発明は、上述する問題点に鑑みてなされたもので、フレキシブルフラットケーブルによるキャリッジの速度変動を防止することができる原稿読取装置および画像形成装置を提供することを目的とする。
【課題を解決するための手段】
【０００６】
上記の課題を解決するために、本発明は、一方の面に原稿を載置する原稿台が設けられた箱形状を有する筐体と、上記筐体に収容されると共に、上記原稿台の長さ方向に往復移動自在なキャリッジと、上記往復移動方向に沿って配線されると共に、一端部が、上記筐体に固定され、他端部が、上記キャリッジに固定されて上記キャリッジに追従して移動自在なフレキシブルフラットケーブルと、上記キャリッジに設けられ、上記原稿台が設けられた面に対向する対向面に向けて上記フレキシブルフラットケーブルを押し付ける押付部材とを有し、上記押付部材は、上記フレキシブルフラットケーブルから受ける反力を低減する弾性部材を備えるという構成を採用する。
このような構成を採用することによって、本発明では、弾性部材の弾性変形により押付部材が受けるフレキシブルフラットケーブルからの反力を吸収・低減させることができる。
【０００７】
また、本発明においては、上記フレキシブルフラットケーブルの他端部は、上記対向面側で折り返されて上記キャリッジに固定され、上記対向面には、上記往復移動方向の往路側を移動するため上記キャリッジが上記筐体の端部に位置するときに、上記フレキシブルフラットケーブルの折返し部の少なくとも一部を収容可能な凹部が設けられており、上記押付部材は、上記キャリッジから、上記往路側に延出して設けられているという構成を採用する。
このような構成を採用することによって、本発明では、キャリッジが筐体の端部に到達するとフレキシブルフラットケーブルの折り返し部の少なくとも一部が凹部に収容され、フレキシブルフラットケーブルの浮き上がりが抑制されるが、キャリッジが往路側に移動しようとすると、該凹部によってフレキシブルフラットケーブルがキャリッジの該往路側前方に浮き上がることがある。このことから、押付部材を往路側に向かって延出して設けることにより該浮き上がりを抑制する。
【０００８】
また、本発明においては、上記押付部材は、上記キャリッジ側の第１の位置で上記押し付けを行う第１押付部と、上記キャリッジから上記往復移動方向の往路側に延出した第２の位置で上記押し付けを行う第２押付部とを有するという構成を採用する。
このような構成を採用することによって、本発明では、フレキシブルフラットケーブルの押し付け範囲を広くでき、より確実にフレキシブルフラットケーブルの浮き上がりを抑制することができる。
【０００９】
また、本発明においては、上記第２押付部は、上記第１の位置と上記第２の位置との間を移動自在であるという構成を採用する。
このような構成を採用することによって、本発明では、第２押付部が延出して設けられることに起因するキャリッジの往復移動距離が短くなることを防止することができる。
【００１０】
また、本発明においては、上記押付部材は、上記フレキシブルフラットケーブルと当接すると共に上記フレキシブルフラットケーブルの幅方向に延びる回転軸周りに回転自在なローラを備えるという構成を採用する。
このような構成を採用することによって、本発明では、押付部材とフレキシブルフラットケーブルとの間の往復移動方向における摩擦を低減することができる。すなわち、キャリッジの往復移動方向における負荷を低減し、速度変動を抑制することができる。またフレキシブルフラットケーブルの擦傷の発生を低減することができる。
【００１１】
また、本発明においては、上記押付部材の上記フレキシブルフラットケーブルと当接する当接部は、上記往復移動方向両側が反り上がるように形成された円弧部を有するという構成を採用する。
このような構成を採用することによって、本発明では、キャリッジの往復移動方向の阻害を低減することができる。
【００１２】
また、本発明においては、上記原稿読取装置が設けられている画像形成装置が得られる。
【発明の効果】
【００１３】
本発明によれば、一方の面に原稿を載置する原稿台が設けられた箱形状を有する筐体と、上記筐体に収容されると共に、上記原稿台の長さ方向に往復移動自在なキャリッジと、上記往復移動方向に沿って配線されると共に、一端部が、上記筐体に固定され、他端部が、上記キャリッジに固定されて上記キャリッジに追従して移動自在なフレキシブルフラットケーブルと、上記キャリッジに設けられ、上記原稿台が設けられた面に対向する対向面に向けて上記フレキシブルフラットケーブルを押し付ける押付部材とを有し、上記押付部材は、上記フレキシブルフラットケーブルから受ける反力を低減する弾性部材を備えるという構成を採用することによって、弾性部材の弾性変形により押付部材が受けるフレキシブルフラットケーブルからの反力を吸収・低減させることができる。すなわち、キャリッジに伝達される反力が低減し、フレキシブルフラットケーブルを押さえ込むことに起因するキャリッジの速度変動が防止される。
したがって、本発明では、フレキシブルフラットケーブルによるキャリッジの速度変動を防止することができる原稿読取装置を提供することができる効果がある。
【発明を実施するための最良の形態】
【００１４】
次に、本発明の実施形態を図面に基づいて説明する。なお、以下に説明においては、本発明の原稿読取装置を、複写機（画像形成装置）に適応した場合の例について説明する。また、以下の図面において、各部材を認識可能な大きさとするために、各部材の縮尺を適宜変更している。
【００１５】
先ず、図１を参照して、本実施形態における複写機１の構成について説明する。
図１は、本発明の実施形態における複写機１の概略構成を示す正面図である。
複写機１は、原稿から画像を読み取る画像読取部２と、用紙Ｐに画像を形成する画像形成部３と、用紙Ｐを収容する給紙カセット４ａと、用紙Ｐを給紙する給紙トレイ４ｂと、画像形成部３にて形成された画像を用紙Ｐに転写する転写装置５と、転写された画像を用紙Ｐ上に定着させる定着ローラ６と、定着が完了し排出された用紙Ｐを受ける排紙トレイ７と、給紙カセット４ａあるいは給紙トレイ４ｂから排紙トレイ７まで用紙Ｐを搬送する搬送路８とを概略備える。
【００１６】
画像読取部２は、例えば、図１に示す原稿自動送り装置２１と、原稿の画像を読み取る原稿読取装置１００とを備える構成となっており、原稿自動送り装置２１から供給された原稿の画像を原稿読取装置１００で読み取る構成となっている。
画像形成部３は、画像読取部２において読み取った画像データに基づいて画像を形成するものであり、例えば、感光ドラム３１、帯電装置３２、露光装置３３、現像装置３４、クリーニングユニット３５を概略備える構成となっている。
【００１７】
感光ドラム３１は、円柱に形状設定され、その周面に静電潜像及び当該静電潜像に基づくトナー像が形成されるものである。帯電装置３２は、感光ドラム３１に対して対向配置され、感光ドラム３１の周面を帯電状態とするものである。露光装置３３は、印刷形式の画像データに基づいてレーザー光を射出し、そのレーザー光を帯電状態の感光ドラム３１の周面において走査するものである。現像装置３４は、感光ドラム３１の周面に対してトナーを供給することによって感光ドラム３１の周面上に静電潜像に基づく画像を現像するものである。クリーニングユニット３５は、転写の後に感光ドラム３１上に残留したトナーを除去するものである。
【００１８】
転写装置５は、感光ドラム３１と対向配置され、転写装置５と感光ドラム３１との間に搬送される用紙Ｐに、感光ドラム３１に担持されている画像を転写するものであり、感光ドラム３１に担持されたトナー像に所定の電荷を与えて用紙Ｐに吸着させる帯電器を備える構成となっている。
定着ローラ６は、加圧・加熱することにより用紙Ｐ上に転写された画像を定着させるものである。
【００１９】
給紙カセット４ａは、装置本体に対して引き出し自在であり、用紙Ｐを給紙・収容するものである。給紙トレイ４ｂは、装置本体に対して開閉自在であり、用紙Ｐを給紙・収容するものである。
搬送路８は、給紙カセット４ａから用紙Ｐを搬出するピックアップローラ８１、用紙Ｐを搬送する給紙ローラ８２、画像が転写された用紙Ｐを定着ローラ６に搬送する搬送ベルト８３、排紙トレイ７に用紙Ｐを排紙する排紙ローラ８４を概略備える。
【００２０】
次に、このような複写機１に設けられる原稿読取装置１００の構成ついて図２〜図５を参照して説明する。
図２は、本発明の実施形態における原稿読取装置１００の構成を示す正面図である。
図３は、本発明の実施形態における原稿読取装置１００の構成を示す平面図である。
図４は、本発明の実施形態における原稿読取装置１００の構成を示す正面図である。
図５は、本発明の実施形態における原稿読取装置１００の構成を示す平面図である。
なお、図２及び図３は、原稿読取装置１００のキャリッジ１１０が筐体１０１の左端部（端部）にある時を示し、図４及び図５は、原稿読取装置１００のキャリッジ１１０が筐体１０１の右端部にある時を示す。なお、上記左端部がキャリッジ１１０のホームポジションであり、キャリッジ１１０は、ホームポジションから右端部側へ移動する往路側のスキャン動作と、右端側からホームポジションへ移動する復路側のリターン動作とを行う構成となっている。
【００２１】
原稿読取装置１００は、図に示すように、筐体１０１と、キャリッジ１１０と、ＦＦＣ（フレキシブルフラットケーブル）１２０と、押付部材１３０とを概略備える。
筐体１０１は、上面に原稿を載置する原稿台１０２が設けられた箱形状を有する。また、原稿台１０２が設けられた面に対向する底面（対向面）１０１Ａには、キャリッジ１１０が往復移動方向の往路側を移動するために待機する筐体１０１の左端部（キャリッジ１１０のホームポジション）において、所定深さ掘り込まれた凹部１０３を有する。凹部１０３は、ＦＦＣ１２０が収容可能な幅を有し、また、左端部側に向かうにつれて漸次深くなる傾斜部１０３Ａを備える。傾斜部１０３Ａは、キャリッジ１１０のスキャン動作開始時、ホームポジションの静止状態からの動き出しでのＦＦＣ１２０の折れを防止する作用を奏する。
【００２２】
キャリッジ１１０は、原稿台１０２の載置された原稿を読み取るイメージセンサ等の光学素子を備えており、原稿台１０２の長さ方向に沿って往復移動することにより、原稿の画像データを取得する構成となっている。このキャリッジ１１０は、上記長さ方向に延びるガイド１１１に沿って、往復移動する構成となっている。
ＦＦＣ１２０は、一端が筐体１０１内部に設けられたコネクタ１０４と接続され、他端がキャリッジ１１０と接続されるものであり、底面１０１Ａに沿うように配置される。このＦＦＣ１２０は、往復移動方向に沿ってコネクタ１０４から配線されると共に、キャリッジ１１０の下部を通過した後、所定の径を有するように折り返されてキャリッジ１１０に接続される。この様に折り返すことでＦＦＣ１２０に撓み（遊び）を備えさせ、キャリッジ１１０のスキャン動作時に引っ張られることを防止する作用を奏することが可能となる。
なお、本実施形態では、図３に示すように、キャリッジ１１０に、奥行き方向において並列に計２列のＦＦＣ１２０が接続される。
【００２３】
押付部材１３０は、キャリッジ１１０の底部に設けられると共に、ＦＦＣ１２０を底面１０１Ａに向けて押し付けてＦＦＣ１２０の浮き上がりを抑制するものであり、図３に示すように、各ＦＦＣ１２０のそれぞれに対応して設けられる。この押付部材１３０は、ＦＦＣ１２０の幅方向において並列して設けられた第１押付部１３０Ａと第２押付部１３０Ｂとを有する。
第１押付部１３０Ａは、キャリッジ１１０の底部側面から往復移動方向に延びる板形状を有するフレーム１３１Ａと、一端部がフレーム１３１Ａと接続されると共に他端部が底面１０１Ａ近傍に延在する板バネ（弾性部材）１３２Ａと、板バネ１３２Ａの他端部に設けられてＦＦＣ１２０と当接するローラ１３３Ａとを有する。なお、ローラ１３３Ａは、ＦＦＣ１２０の幅方向に延びる回転軸周りに回転自在に、板バネ１３２Ａの他端部に支持される。
この様な構成の第１押付部１３０Ａは、キャリッジ１１０側の下方の位置（第１の位置）においてＦＦＣ１２０を押し付ける構成となっている。
【００２４】
一方、第２押付部１３０Ｂは、第１押付部１３０Ａと略同一の構成となっており、キャリッジ１１０の底部側面から往復移動方向に延びる板形状を有するフレーム１３１Ｂと、一端部がフレーム１３１Ｂと接続されると共に他端部が底面１０１Ａ近傍に延在する板バネ（弾性部材）１３２Ｂと、板バネ１３２Ｂの他端部に設けられてＦＦＣ１２０と当接するローラ１３３Ｂとを有する。また、第２押付部１３０Ｂは、更に、フレーム１３１Ｂをキャリッジ１１０に対して、往復移動方向の往路側に延出させるコイルばね１３４Ｂを備える。
この様な構成の第２押付部１３０Ｂは、キャリッジ１１０から往復移動方向の往路側に延出した位置（第２の位置）においてＦＦＣ１２０を押し付ける構成となっている。
【００２５】
続いて、上記構成の原稿読取装置１００における、ＦＦＣ１２０の浮き上がりを抑制する動作について説明する。
キャリッジ１１０は、原稿台１０２上に載置された原稿を読み取るため、原稿台１０２の長さ方向に往復移動する。そして、押付部材１３０の第１押付部１３０Ａは、第１の位置においてＦＦＣ１２０を底面１０１Ａに向けて押し付けてＦＦＣ１２０の浮き上がりを抑制する。また、押付部材１３０の第２押付部１３０Ｂは、第２の位置においてＦＦＣ１２０を底面１０１Ａに向けて押し付けてＦＦＣ１２０の浮き上がりを抑制する。すなわち、押付部材１３０は、ＦＦＣ１２０の長さ方向において２箇所で押し付けることにより、広範囲でＦＦＣ１２０の浮き上がりを抑制する。
【００２６】
また、ここで、ローラ１３３Ａ及びローラ１３３Ｂで受けるＦＦＣ１２０からの反力（底面１０１Ａからの反力を含む）は、板バネ１３２Ａ及び板バネ１３２Ｂの弾性変形により吸収・低減されることとなり、キャリッジ１１０に伝達される略鉛直方向の負荷が低減され、キャリッジ１１０の速度変動を低減することができる。
さらに、ＦＦＣ１２０と当接する当接部は、ローラ１３３Ａ及びローラ１３３Ｂで構成されているため、押付部材１３０とＦＦＣ１２０との間の往復移動方向における摩擦を低減することができる。すなわち、キャリッジ１１０に伝達される往復移動方向における負荷を低減し、速度変動を抑制することができる。またＦＦＣ１２０の擦傷の発生を低減することができる。
【００２７】
キャリッジ１１０が、往復移動方向の左端部（ホームポジション）に位置すると、ＦＦＣ１２０の折り返し部の一部が凹部１０３に収容され、その浮き上がりが抑制される。また、この時、ＦＦＣ１２０の折り返し部の径（Ｒ）が大きくなるため反力が低減される。
次に、この位置から、キャリッジ１１０が、往復移動方向の往路側に向かって移動すると、凹部１０３の形状、特に傾斜部１０３Ａの作用によりＦＦＣ１２０がキャリッジ１１０の往復移動方向の往路側前方（図２においてキャリッジ１１０の右側前方）に浮き上がることがあるが、押付部材１３０の特に第２押付部１３０Ｂが、キャリッジ１１０から延出する第２の位置においてＦＦＣ１２０を押し付けているため、この浮き上がりが抑制される。
【００２８】
また、キャリッジ１１０が、往復移動方向の右端部に位置すると、第２押付部１３０Ｂが、第２の位置から第１の位置へと移動する。より詳しくは、フレーム１３１Ｂが、筐体１０１の側面と当接することにより、このフレーム１３１Ｂが、コイルばね１３４Ｂの付勢力に抗して、キャリッジ１１０に対し、左側に移動して下方に収容される。このことから、キャリッジの往復移動方向の移動量を低減させることがなく、本実施形態における押付部材１３０を設けることに起因する筐体１０１の幅方向の拡張を抑制することができる。
【００２９】
したがって、上述した本実施形態によれば、上面に原稿を載置する原稿台１０２が設けられた箱形状を有する筐体１０１と、筐体１０１に収容されると共に、原稿台１０２の長さ方向に往復移動自在なキャリッジ１１０と、上記往復移動方向に沿って配線されると共に、一端部が、筐体１０１に固定され、他端部が、キャリッジ１１０に固定されてキャリッジ１１０に追従して移動自在なＦＦＣ１２０と、キャリッジ１１０に設けられ、原稿台１０２が設けられた面に対向する底面１０１Ａに向けてＦＦＣ１２０を押し付ける押付部材１３０とを有し、押付部材１３０は、ＦＦＣ１２０から受ける反力を低減する板バネ１３２Ａ及び板バネ１３２Ｂを備えるという構成を採用することによって、板バネ１３２Ａ及び板バネ１３２Ｂの弾性変形により押付部材１３０が受けるＦＦＣ１２０からの反力を吸収・低減させることができる。すなわち、キャリッジ１１０に伝達される反力が低減し、ＦＦＣ１２０を押さえ込むことに起因するキャリッジ１１０の速度変動が防止される。
したがって、本実施形態では、ＦＦＣ１２０によるキャリッジ１１０の速度変動を防止することができる原稿読取装置１００を提供することができる効果がある。
【００３０】
また、本実施形態においては、ＦＦＣ１２０の他端部は、底面１０１Ａ側で折り返されてキャリッジ１１０に固定され、底面１０１Ａには、上記往復移動方向の往路側を移動するためキャリッジ１１０が筐体１０１の左端部に位置するときに、ＦＦＣ１２０の折返し部の少なくとも一部を収容可能な凹部１０３が設けられており、押付部材１３０は、キャリッジ１１０から、上記往路側に延出して設けられているという構成を採用する。すなわち、キャリッジ１１０が筐体１０１の左端部に到達するとＦＦＣ１２０の折り返し部の少なくとも一部が凹部１０３に収容され、ＦＦＣ１２０の浮き上がりが抑制されるが、キャリッジ１１０が往路側に移動しようとすると、該凹部１０３によってＦＦＣ１２０がキャリッジ１１０の該往路側前方に浮き上がることがある。このことから、押付部材１３０を往路側に向かって延出して設けることにより該浮き上がりを抑制することができる。
【００３１】
また、本実施形態においては、押付部材１３０は、キャリッジ１１０側の第１の位置で上記押し付けを行う第１押付部１３０Ａと、キャリッジ１１０から上記往復移動方向の往路側に延出した第２の位置で上記押し付けを行う第２押付部１３０Ｂとを有するという構成を採用することによって、ＦＦＣ１２０の押し付け範囲を広くでき、より確実にＦＦＣ１２０の浮き上がりを抑制することができる。
【００３２】
また、本実施形態においては、第２押付部１３０Ｂは、上記第１の位置と上記第２の位置との間を移動自在であるという構成を採用することによって、第２押付部１３０Ｂが延出して設けられることに起因するキャリッジ１１０の往復移動距離が短くなることを防止することができる。このことから、第２押付部１３０Ｂを設けることに起因する筐体１０１の幅方向の拡張を抑制することができる。
【００３３】
また、本実施形態においては、押付部材１３０は、ＦＦＣ１２０と当接すると共にＦＦＣ１２０の幅方向に延びる回転軸周りに回転自在なローラ１３３Ａ及びローラ１３３Ｂを備えるという構成を採用することによって、押付部材１３０とＦＦＣ１２０との間の往復移動方向における摩擦を低減することができる。すなわち、キャリッジ１１０の往復移動方向における負荷を低減し、速度変動を抑制することができる。またＦＦＣ１２０の擦傷の発生を低減することができる。
【００３４】
また、本実施形態においては、ＦＦＣ１２０によるキャリッジ１１０の速度変動が防止でき、色ズレ等がなく安定して画像データを取り込むことが可能な原稿読取装置１００が設けられる画像形成装置が得られることから、画像形成不良の発生をより確実に抑制することができる。
【００３５】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００３６】
例えば、押付部材１３０は、図６に示すような別実施形態の構成であっても良い。別実施形態においては、押付部材１３０のＦＦＣ１２０と当接する当接部（板バネ１３２Ａ及び板バネ１３２Ｂの先端部）は、往復移動方向両側が反り上がるように形成された円弧部を有している。すなわち、このような構成を採用することによって、別実施形態では、ＦＦＣ１２０との間の引っ掛かりが防止され、キャリッジ１１０の往復移動方向の阻害を低減することができる。また、この構成を採用すれば、ローラ１３３Ａ及びローラ１３３Ｂを設ける必要がなく、この分の部品点数の削減を図ることができる。
【００３７】
また、上記実施形態では、本発明の弾性部材が板バネ１３２Ａ及び板バネ１３２Ｂであると説明したが、本発明は、上記構成に限定されるものではない。
例えば、弾性部材は、板バネと異なるバネ種のものを採用しても良いし、また、ゴム部材等の弾性特性を有する部材であっても良い。
また、上記実施形態では、押付部材１３０は、ＦＦＣ１２０を長さ方向において２箇所で押し付けると説明したが、本発明は、上記構成に限定されるものではなく、例えば、一箇所、あるいは、２箇所以上でＦＦＣ１２０を押さえ付ける構成であっても良い。
【図面の簡単な説明】
【００３８】
【図１】本発明の実施形態における複写機の概略構成を示す正面図である。
【図２】本発明の実施形態における原稿読取装置の構成を示す正面図である。
【図３】本発明の実施形態における原稿読取装置の構成を示す平面図である。
【図４】本発明の実施形態における原稿読取装置の構成を示す正面図である。
【図５】本発明の実施形態における原稿読取装置の構成を示す平面図である。
【図６】本発明の別実施形態における原稿読取装置の構成を示す正面図である。
【符号の説明】
【００３９】
１…複写機（画像形成装置）、１００…原稿読取装置、１０１…筐体、１０１Ａ…底面（対向面）、１０２…原稿台、１０３…凹部、１０４…コネクタ、１１０…キャリッジ、１２０…ＦＦＣ（フレキシブルフラットケーブル）、１３０…押付部材、１３０Ａ…第１押付部、１３０Ｂ…第２押付部、１３２Ａ，１３２Ｂ…板バネ（弾性部材）、１３３Ａ，１３３Ｂ…ローラ
【図１】
2010114800.tif 000003
【図２】
2010114800.tif 000004
【図３】
2010114800.tif 000005
【図４】
2010114800.tif 000006
【図５】
2010114800.tif 000007
【図６】
2010114800.tif 000008